(57)【要約】【課題】脚部の動きの妨げになることを抑制するとともに、充分な耐久性を備えた作業用ズボンを提供する。【解決手段】使用者の大腿部の前側を覆う第１前側部１１と、膝部の前側を覆う第２前側部１２と、脛部を覆う第３前側部１３と、第１接合部２１と、第２接合部２２と、第３接合部２３とを収縮することなく身体を保護する強さの生地によって形成し、第１接合部２１、第２接合部２２および第３接合部２３を、使用者が脚部を曲げたときに作用する応力の方向に沿って延設した。【選択図】図１
0003223671.tif 000002
【実用新案登録請求の範囲】
【請求項１】
股上部と、
股下部と、
前記股上部および前記股下部と接合する後側部と、
を使用者の身体の動きに対応して収縮することなく該身体を保護する強さを有する生地によって形成し、
前記股下部を、
前記使用者の大腿部の前側を覆う第１前側部と、
前記使用者の膝部の前側を覆う第２前側部と、
前記使用者の脛部を覆う第３前側部と、
前記股上部の一の端部と前記第１前側部の一の端部とを折り重ねて接合させた第１接合部と、
前記第１前側部の他の端部と前記第２前側部の一の端部とを折り重ねて接合させた第２接合部と、
前記第２前側部の他の端部と前記第３前側部の一の端部とを折り重ねて接合させた第３接合部と、
を備えて構成し、
前記第１接合部、前記第２接合部および前記第３接合部を、前記使用者が脚部を曲げたときに応力が作用する前記股下部の部位に設けた、
ことを特徴とする作業用ズボン。
【請求項２】
前記第１接合部、前記第２接合部および前記第３接合部は、
該作業ズボンの側方で前記後側部および前記股下部が接合された外側接合部と前記股下部の内股側端部との間を繋ぐように形成されている、
ことを特徴とする請求項１に記載の作業用ズボン。
【請求項３】
前記第１接合部は、
前記使用者の股関節が動いたときに生じる応力によって前記股上部および前記第１前側部が歪むことを防ぐ剛性を備えている、
ことを特徴とする請求項１または２に記載の作業用ズボン。
【請求項４】
前記第２接合部は、
前記使用者の膝関節が動いたときに生じる応力によって前記第１前側部および前記第２前側部が歪むことを防ぐ剛性を備えている、
ことを特徴とする請求項１から３のいずれか１項に記載の作業用ズボン。
【請求項５】
前記第３接合部は、
前記使用者の膝関節が動いたときに生じる応力によって前記第２前側部および前記第３前側部が歪むことを防ぐ剛性を備えている、
ことを特徴とする請求項１から４のいずれか１項に記載の作業用ズボン。
【請求項６】
前記第１前側部は、
該作業用ズボンの厚み方向において前記股上部の表面および前記第２前側部の表面よりも低くなるように、前記股上部および前記第２前側部に接合されている、
ことを特徴とする請求項１から５の何れか１項に記載の作業用ズボン。
【請求項７】
前記第１前側部と前記後側部とを接合させた位置にサイドポケットを設け、
前記サイドポケットの開口部を塞ぐフラップの縁部分に光を反射する反射材を備えた、
ことを特徴とする請求項１から６のいずれか１項に記載の作業用ズボン。
【請求項８】
前記後側部の上側部位に後ポケットを設け、
前記後ポケットの開口部に光を反射する反射材を備えた、
ことを特徴とする請求項１から７のいずれか１項に記載の作業用ズボン。
【請求項９】
前記後側部の上側部位に、携帯端末の横幅よりも大きく開口する携帯端末用ポケットを設けた、
ことを特徴とする請求項１から８のいずれか１項に記載の作業用ズボン。
【考案の詳細な説明】
【技術分野】
【０００１】
本開示は、作業等を行う際に着用する作業用ズボンに関する。
【背景技術】
【０００２】
例えば、建築作業などを行うときには、資材や工作機械等と不意に接触する場合がある。そのため、厚手の生地を使用した着衣を装着して身体を怪我などから保護している。上記のような作業を行うときには、立ち座りなどの姿勢を変える場合が多く、特に、脚部の曲げ伸ばしは作業中に頻繁に行われる。
そこで、身体動作の妨げとなることを抑えたズボンが提案されている（例えば、特許文献１参照）。このズボンは、使用者が履いた状態で膝などを曲げ易くするため、当該膝に当接する部位や、その周辺に伸縮素材を使用して構成されている。
【先行技術文献】
【特許文献】
【０００３】
【特許文献１】国際公開第２０１２／０４３６７３号
【考案の概要】
【考案が解決しようとする課題】
【０００４】
従来の作業用ズボンは、脚部の動きを妨げないように、伸縮素材等を部分的に使用しているので、異なる素材を接合（接着）するという、比較的高度な技術を要する製造工程が必要になり、製造コストの抑制が難しくなる。
また、伸縮素材によって形成された部分は、厚手の生地で形成された部分に比べて強度が弱くなり、この部分から損傷が発生し易くなる。そのため、例えば、機械や建築物などにすり付けることが起き易い、膝の前側部分等に伸縮素材を使用すると、当該ズボンの耐久性が相当に低くなる。即ち、使用開始からそれほど経過していない時期に傷みが生じ、作業用として使用できる耐用年数が短くなる。
【０００５】
本開示は、上記のような問題点に鑑みなされたもので、脚部の動きの妨げになることを抑制するとともに、充分な耐久性を備えた作業用ズボンを提供する。
【課題を解決するための手段】
【０００６】
本開示に係る作業用ズボンは、股上部と、股下部と、前記股上部および前記股下部と接合する後側部と、を使用者の身体の動きに対応して収縮することなく該身体を保護する強さを有する生地によって形成し、前記股下部を、前記使用者の大腿部の前側を覆う第１前側部と、前記使用者の膝部の前側を覆う第２前側部と、前記使用者の脛部を覆う第３前側部と、前記股上部の一の端部と前記第１前側部の一の端部とを折り重ねて接合させた第１接合部と、前記第１前側部の他の端部と前記第２前側部の一の端部とを折り重ねて接合させた第２接合部と、前記第２前側部の他の端部と前記第３前側部の一の端部とを折り重ねて接合させた第３接合部と、を備えて構成し、前記第１接合部、前記第２接合部および前記第３接合部を、前記使用者が脚部を曲げたときに応力が作用する前記股下部に作用する部位に設けたことを特徴とする。
【０００７】
また、前記第１接合部、前記第２接合部および前記第３接合部は、該作業ズボンの側方で前記後側部および前記股下部が接合された外側接合部と前記股下部の内股側端部との間を繋ぐように形成されていることを特徴とする。
【０００８】
また、前記第１接合部は、前記使用者の股関節が動いたときに生じる応力によって前記股上部および前記第１前側部が歪むことを防ぐ剛性を備えていることを特徴とする。
【０００９】
また、前記第２接合部は、前記使用者の膝関節が動いたときに生じる応力によって前記第１前側部および前記第２前側部が歪むことを防ぐ剛性を備えていることを特徴とする。
【００１０】
また、前記第３接合部は、前記使用者の膝関節が動いたときに生じる応力によって前記第２前側部および前記第３前側部が歪むことを防ぐ剛性を備えていることを特徴とする。
【００１１】
また、前記第１前側部は、該作業用ズボンの厚み方向において前記股上部の表面および前記第２前側部の表面よりも低くなるように、前記股上部および前記第２前側部に接合されていることを特徴とする。
【００１２】
また、前記第１前側部と前記後側部とを接合させた位置にサイドポケットを設け、前記サイドポケットの開口部を塞ぐフラップの縁部分に光を反射する反射材を備えたことを特徴とする。
【００１３】
また、前記後側部の上側部位に後ポケットを設け、前記後ポケットの開口部に光を反射する反射材を備えたことを特徴とする。
【００１４】
また、前記後側部の上側部位に、携帯端末の横幅よりも大きく開口する携帯端末用ポケットを設けたことを特徴とする。
【考案の効果】
【００１５】
本開示によれば、動きの妨げとなることを抑制し、また、充分な強度、もしくは耐久性を備えることができる。
【図面の簡単な説明】
【００１６】
【図１】本開示の実施の形態による作業用ズボンの構成を示す正面図である。
【図２】図１の作業用ズボンの後側の構成を示す説明図である。
【図３】図１の作業用ズボンの側方の構成を示す説明図である。
【図４】図１の作業用ズボンの前側部分の構成を示す断面図である。
【考案を実施するための形態】
【００１７】
以下、この考案の実施の一形態を説明する。
図１は、本開示の実施の形態によるズボン１の構成を示す正面図である。ズボン１は、例えば、充分な強度を有する厚手のポリエステル生地を用いて、前側部分、および、後述する後側部分を形成し、当該前側部分および後側部分を接合して構成されている。
なお、ズボン１に用いる上記のポリエステル生地は、概ね伸縮性を有しないものであるが、厳密には織構造等に起因して若干伸縮する。即ち、一般的な伸縮素材に比べて微小な伸縮を生じるものであり、使用者の身体の動きを妨げないように伸縮することはできない。
換言すると、ズボン１に用いる生地は、例えば、鋭利な部分を有する工具、建築物、機械などに、不意に接触したときに怪我等から身体を保護する強度を有するが、身体の動きを妨げないように（関節等の動きに対応して）伸縮することはできないものである。
【００１８】
ズボン１は、概ね左右対称に構成されている。ここでは、いずれか一方の側（左足側と右足側のうち、いずれか一方の側）の構成を説明し、他方の側の説明を省略する。
ズボン１の前側部分は、股上部１０、第１前側部１１、第２前側部１２、第３前側部１３によって形成されている。なお、ズボン１の上下方向に連なる第１前側部１１、第２前側部１２、第３前側部１３は、当該ズボン１の股下部である。即ち、ズボン１は、上下方向に３分割された股下部を備えている。
第１前側部１１は、使用者の大腿部の前側を覆う大きさ形状に形成されている。
第２前側部１２は、使用者の膝部分の前側を覆う大きさ形状に形成されている。
第３前側部１３は、使用者の脛部分を覆う大きさ形状に形成されている。
【００１９】
股上部１０と第１前側部１１は、後述するように、それぞれの端部を折り重ねて、わたり幅方向に沿って縫合されている。このように股上部１０と第１前側部１１とを接合した部分が第１接合部２１である。
第１前側部１１と第２前側部１２は、後述するように、それぞれの端部を折り重ねて、わたり幅方向に沿って縫合されている。このように第１前側部１１と第２前側部１２とを接合した部分が第２接合部２２である。
第２前側部１２と第３前側部１３は、後述するように、それぞれの端部を折り重ねて、わたり幅方向に沿って縫合されている。このように第２前側部１２と第３前側部１３とを接合した部分が第３接合部２３である。
【００２０】
ズボン１の側方には、当該ズボン１の前側部分（前身頃）と後側部分（後見頃）とを接合した外側接合部２５が形成されている。
外側接合部２５は、ズボン１の上端部分（後述するベルトループ部１６）等から裾部１５まで、ズボン１の上下方向に延設された接合部であり、股上部１０の側端部と後述する後側部３０の側端部とを、例えば折り重ねて縫合し、さらに、上下方向に連ねた第１前側部１１、第２前側部１２、第３前側部１３の各側端部と上記の後側部３０の側端部とを折り重ねて縫合したものである。
股上部１０は、上端部分にベルトループ部１６を有し、また、例えば、外側接合部２５の近傍に開口部を有する前ポケット部１７を有している。
【００２１】
ズボン１の前側部分の内股側と後側部分の内股側との間には、例えば、他の部分と同様な厚手の生地で形成されたトリカット部２４が設けられており、トリカット部２４を介して上記の前側部分の内股側と後側部分の内股側が接合されている。
トリカット部２４は、股上部１０の内股部分を介して、右足側の第１前側部１１、第２前側部１２、第３前側部１３、後側部３０、裾部１５の各内股側と、左足側の第１前側部１１、第２前側部１２、第３前側部１３、後側部３０、裾部１５の各内股側とを繋ぐように設けられている。
トリカット部２４は、使用者がズボン１を履いて膝を曲げたとき、曲げた状態の膝が当接する位置（膝曲げによって応力が作用する位置）に、トリカット部２４を形成する生地を折り重ねて縫合した折り重ね部２４ａを備えている。折り重ね部２４ａは、概ね、わたり幅と平行に延設されている。
【００２２】
ズボン１の側方には、当該ズボン１の上方に向かって開口するサイドポケット部１４が設けられている。
サイドポケット部１４は、例えば、第１前側部１１と後側部３０が接合されている位置に設けられており、この位置の第１接合部２１、第２接合部２２、外側接合部２５等に重ねて固定されている。
サイドポケット部１４は、開口部を塞ぐフラップを備え、例えば、このフラップの縁部分に、光を反射する反射材１４ａを備えている。
【００２３】
図２は、図１のズボン１の後側の構成を示す説明図である。また、図３は、図１のズボン１の側方の構成を示す説明図である。ズボン１の後側部分は、左足側の後側部３０と右足側の後側部３０を、腰骨の左右方向の中間位置で接合して形成されている。左足側の後側部３０と右足側の後側部３０は、左右対称に形成されており、概ね同様に構成されている。
ズボン１の後側部分は、右足側の後側部３０と左足側後側部３０とを、上記のように接合した状態において、上端部分にベルトループ部１６が備えられ、ベルトループ部１６の下側に腰伸縮部３４が備えられている。
【００２４】
腰伸縮部３４は、略メッシュ状に繊維を編むことによって多方向に伸縮性を備えた素材を用いて形成した部分で、例えば、前述のポリエステル生地（伸縮性を有さない、または微小な伸縮性を有する生地）で形成されたベルトループ部１６と、前述のポリエステル生地で形成された右足側および左足側の各後側部３０とを繋ぐように配置接合されている。
また、腰伸縮部３４は、右足側の後側部３０および左足側の後側部３０の上端において、右足側の外側接合部２５と左足側の外側接合部２５との間に設けられている。
腰伸縮部３４は、ズボン１を使用者が履いたとき、使用者の背中下側（骨盤の上端近傍）へ当接する位置に設けられ、腰を曲げたときに大きく伸びて、ズボン１が使用者の腰位置からずれ落ちることを防ぐように備えられている。
【００２５】
腰伸縮部３４の下側には、上方に開口する後ポケット部３１，３２が設けられている。例えば、左足側の後側部３０には後ポケット部３１が設けられ、右足側の後側部３０には後ポケット部３２が設けられている。
後ポケット部３１の開口部には光を反射する反射材３１ａが備えられ、後ポケット部３２の開口部位には反射材３１ａと同様な反射材３２ａが備えられている。
【００２６】
例えば、右足側の後側部３０には、携帯端末用ポケット部３３が設けられている。
携帯端末用ポケット部３３は、例えば、後ポケット部３２の下側に設けられ、当該後ポケット部３２よりも当該ズボン１の側方へ寄せて設置されている。
携帯端末用ポケット部３３は、上方に開口するように構成されており、例えば、スマートフォンなどの携帯端末（通信機器）、小型の計測ツールなどを収容することができる内部容量を備えている。
また、携帯端末用ポケット部３３は、開口部の一端が、右足側の外側接合部２５まで延設されており、携帯端末の横幅よりも大きく開口し、ズボン１を履いた使用者が片手操作で携帯端末を収容させることができ、また、当該携帯端末用ポケット部３３に収容されている携帯端末を速やかに取り出すことができる位置に設置されている。
なお、携帯端末用ポケット部３３は左足側の後側部３０に設けることも可能であり、左右両側に設けてもよい。
【００２７】
図４は、図１のズボン１の前側部分の構成を示す断面図である。この図４は、図１に一点鎖線で示したＡ−Ａ線における断面を示したもので、股上部１０およびズボン１の股下部を構成する第１前側部１１、第２前側部１２、第３前側部１３の各接合部の概略構成を示している。なお、図中、上側がズボン１の表面側で、図中、下側がズボン１の内側となる。
股上部１０、第１前側部１１、第２前側部１２、第３前側部１３は、それぞれ、平面状に形成された、例えば前述のポリエステル生地を所定形状に裁断したものである。
【００２８】
第１接合部２１は、股上部１０の一の端部（ズボン１の下側方向に位置する端部）を、第１前側部１１の一の端部（ズボン１の上側方向に位置する端部）の図中上側（ズボン１の表面側）に折り重ね、この折り重ね部分を縫合したものである。
第２接合部２２は、第２前側部１２の一の端部（ズボン１の上側方向に位置する端部）を、第１前側部１１の他の端部（ズボン１の下側方向に位置する端部）の図中上側（ズボン１の表面側）に折り重ね、この折り重ね部分を縫合したものである。
第３接合部２３は、第３前側部１３の一の端部（ズボン１の上側方向に位置する端部）を、第２前側部１２の他の端部（ズボン１の下側方向に位置する端部））の図中上側（ズボン１の表面側）に折り重ね、この折り重ね部分を縫合したものである。
即ち、第１前側部１１は、ズボン１の厚み方向において、当該第１前側部１１の表面が、股上部１０の表面および第２前側部１２の表面よりも低くなるように配置（接合）されている。
【００２９】
第１接合部２１、第２接合部２２、第３接合部２３は、いずれもズボン１の内股側の端部、即ち、トリカット部２４と、ズボン１の側方端部、即ち、外側接合部２５との間を繋ぐように設けられている。
第１接合部２１は、例えば、座り姿勢のように股関節を曲げたときに、応力（ストレス）が作用する股下部（股上部１０と第１前側部１１との間など）の部位に設けられている。
使用者が例えば直立状態から股関節を曲げると、腰部（骨盤）と大腿部の前側との間の角度が小さくなる（狭くなる）。このように使用者の身体が動くと、股上部１０と第１前側部１１との間に応力が生じ、例えばしわなどの歪みが発生する。このしわなどが大腿部の前側付け根部分に当接して、この部分を圧迫する。
第１接合部２１は、上記の応力に対抗し、大腿部の前側付け根部分が圧迫されることを抑えるように、当該大腿部の前側付け根部分に沿って設けられている。
第１接合部２１は、前述の股上部１０および第１前側部１１の各端部を折り重ねて縫合することにより、上記の股関節を曲げたときに生じる応力によって、股下部（第１前側部１１および股上部１０など）が変形する（歪む）ことを防ぐ剛性を備えている。
【００３０】
第２接合部２２は、膝関節の上端側となる位置に設けられており、当該膝関節を曲げたときに応力（ストレス）が作用する股下部（第１前側部１１と第２前側部１２との間など）の部位に設けられている。
使用者が例えば直立状態から膝関節を曲げると、第２前側部１２の内側に膝蓋骨等が当接し、前方へ迫り出すように動く。即ち、膝蓋骨等が前方へ突き出るように第２前側部１２の内側に当接する。
第２前側部１２に膝蓋骨等が当接すると、当該膝蓋骨等が当接している部位が最も前方へ向かって移動し、移動によって引っ張られる部位には歪みが生じる。即ち、膝蓋骨等が第２前側部１２に当接することによって、第２前側部１２に応力が作用し、当該第２前側部１２の周辺に張力が生じる。
【００３１】
上記の張力は、ズボン１における膝の上側部位においては、第１前側部１１を膝蓋骨等が当接している部位に向かって引っ張るように作用し、また、大腿部の後側（尻の下側周辺）に当接する部位を、膝蓋骨等が当接している部位に向かって引っ張るように作用する。
第２接合部２２は、上記の張力（応力）によって大腿部の後側などが引っ張られることを抑えるため、当該張力が伝わる（応力が作用する）部位、即ち、歪みが生じる部位に沿って設けられている。
第２接合部２２は、前述の第１前側部１１および第２前側部１２の各端部を折り重ねて縫合することにより、上記の膝関節を曲げたときに生じる応力によって、股下部（第１前側部１１および第２前側部１２など）が変形する（歪む）ことを防ぐ剛性を備えている。
【００３２】
第３接合部２３は、膝関節の下端側となる位置に設けられており、当該膝関節を曲げたときに応力（ストレス）が作用する股下部（第２前側部１２および第３前側部１３など）の部位に設けられている。
使用者が膝関節を曲げると、前述のように、第２前側部１２の内側に膝蓋骨等が当接し、当該第２前側部１２の周辺に張力が生じる。
【００３３】
上記の張力は、ズボン１における膝の下側部位においては、膝蓋骨等が当接している第２前側部１２の部位に向かって第３前側部１３を引っ張り上げるように作用する。
第３接合部２３は、上記のように第３前側部１３を引っ張り上げる応力によって歪みが生じる部位に沿って設けられている。
第３接合部２３は、前述の第２前側部１２および第３前側部１３の各端部を折り重ねて縫合することにより、上記の膝関節を曲げたときに生じる応力によって、股下部（第２前側部１２および第３前側部１３など）が変形する（歪む）ことを防ぐ剛性を備えている。
【００３４】
ズボン１は、第１接合部２１、第２接合部２２、第３接合部２３に、使用者の脚部の各関節を曲げたときに生じる応力に対抗する剛性を備えることにより、股下部（第１前側部１１、第２前側部１２、第３前側部１３など）が、脚部の各関節の動きによって変形する（歪む）ことを防ぎ、使用者の脚部の動きを妨げないようにすることができる。
【符号の説明】
【００３５】
１ズボン
１０股上部
１１第１前側部
１２第２前側部
１３第３前側部
１４サイドポケット部
１４ａ反射材
１５裾部
１６ベルトループ部
１７前ポケット部
２１第１接合部
２２第２接合部
２３第３接合部
２４トリカット部
２４ａ折り重ね部
２５外側接合部
３０後側部
３１，３２後ポケット部
３１ａ，３２ａ反射材
３３携帯端末用ポケット部
３４腰伸縮部
【図１】
0003223671.tif 000003
【図２】
0003223671.tif 000004
【図３】
0003223671.tif 000005
【図４】
0003223671.tif 000006